(57)【特許請求の範囲】
【請求項１】
レンジフード最下部の油溜め溝部分に取り付け固定し真っ直ぐな棒とその両側に各々１個のハンガー棒支持体と支え兼ハンガー棒支持体押さえ部品とネジからなりハンガー棒支持体と支え兼ハンガー棒支持体押さえ部品でレンジフード最下部の油溜め溝部分を挟持しネジで固定すると共に支え兼ハンガー棒支持体押さえ部品をレンジフード下壁部と接触させ固定することによりハンガー棒への下方向加重を挟持固定した部分とレンジフード下壁部と接触する部分とで分散する構造を持つハンガー棒支持体と支え兼ハンガー棒支持体押さえ部品を備えた事を特徴とするレンジフード取り付けハンガー。
【請求項２】
ハンガー棒支持体にはレンジフード最下部の油溜め溝の内面フランジ端部より垂直に下から上に曲げられたカエリ部に合う溝を設けカエリ部とハンガー棒支持体のカエリ部に合う溝が嵌合しそれだけで外力が掛からない場合ハンガー棒支持体が油溜め溝より離脱しない請求項１記載のレンジフード取り付けハンガー。
【発明の詳細な説明】
【０００１】
【発明の属する技術分野】
本発明はレンジフードの油溜め溝部分に取り付けるハンガー棒の両側にハンガー棒支持体を有するハンガーであってそのハンガー棒支持体のレンジフードへの取り付け構造に関する。
【０００２】
【従来の技術】
キッチン内でハンガーを取り付け、レードルなどの調理道具を掛ける製品は古くからある。その多くは壁や戸棚に穴をあけネジ留めする方法や吸盤や接着剤による取り付け方法をとっている。
【０００３】
レードル等の調理道具類の使用は主にコンロ付近が多くコンロ奥のスペースへのハンガーの取り付けは壁にネジ留めが一般的である。
【０００４】
ハンガーが無い場合、レードル等の調理道具類は主に容器に立てて収納するか引き出しに入れるか戸棚内に吊るす等の方法で収納している。
【０００５】
【発明が解決しようとする課題】
レードルなどの調理道具を一番良く使用するのはコンロ付近である。コンロ付近は温度がかなり上昇するため可燃物の使用はできず不燃物の素材が望ましく吸盤や接着剤による取り付け方法は温度の問題があり、物理的な取り付け方法が望ましい。また、コンロ付近の壁がタイルやステンレス・耐熱ボード等が多く簡単にクギ類を使用することは出来ない。そこで穴を開けたりせず取り付ける場所としてレンジフードがありレンジフードの最下部の油溜め溝部分に確実に取り付けできるハンガー棒支持体を持つハンガーが望まれる。
【０００６】
また、ハンガーはコンロ回りに使用するため確実に固定されていなければならず、ハンガー棒支持体が油溜め溝より外力無く離脱しない形状が望ましい。
【０００７】
また、ハンガーは下方向へ加重されるためレンジフード油溜め溝部のみではその部分が曲がる可能性があるゆえにその溝部分だけでなく他方へ力を分散する構造が必要である。
【０００８】
【課題を解決するための手段】
本発明は前記課題を解決すべくレンジフード最下部の油溜め溝部分へハンガー棒支持体を確実に固定してそのハンガー棒支持体にハンガー棒を取り付けたハンガーを提供する。
【０００９】
すなわちレンジフード油溜め溝部分はレンジフード内壁を９０度曲げたフランジとさらに９０度下から上に曲げたカエリ部分で溝を形成しておりこの溝部分に簡単にかつ確実にハンガー棒支持体を取り付けてハンガーを使用できるようにする。
【００１０】
レンジフードは大きく分けて浅型と深型の２種類が有り油溜め部分のある機種は主に深型レンジフードであり主流機種である。深型レンジフードの中でも大半の機種には最下部に油溜め溝が形成されているが例外として整流板を付けたものや最下部からすぐに金属フィルターがついている機種もある。
【００１１】
レンジフードの材質はステンレスや鋼板であり厚さ０．６ｍｍから２．０ｍｍが一般的である。油溜め溝の幅は１０ｍｍ未満から２０ｍｍ以上までありカエリ部分の高さは５ｍｍ位から２０ｍｍ位まであり各メーカーにより異なる。
【００１２】
油溜め溝部分に確実にハンガー棒支持体を取り付けるためにはフランジ部を挟持するか、カエリ部を挟持するか、あるいはレンジフードの内壁とカエリ部の間（溝幅）に固定する方法が考えられる。溝幅方向に固定する方法は例えば溝幅１０ｍｍから２０ｍｍの幅を同じ構造のハンガー棒支持体で固定する場合当初は１０ｍｍ幅に合わせその溝内側のハンガー棒支持体部分あるいはそれに附帯する部品が２０ｍｍ幅まで調整することは挟む動きではなく広げて突っ張る調整をするため仕様が複雑となる場合や部品点数が増える場合がある。またカエリ部分は５ｍｍ位の短さもあり締めて固定するには不安である。
【００１３】
それゆえフランジを挟持する方法がより安定している。ハンガー棒支持体のレンジフード内壁側にはフランジを上から押えるフランジ押え部があり、もう一方にはハンガー棒取り付け部がある。その間にはレンジフードのカエリ部が有る為、その部分に嵌合するようにハンガー棒支持体に溝を設けている。
【００１４】
フランジ押え部と本体あるいは別部品により油溜め溝のフランジを挟み込んでネジを締めして溝部分に固定する。
【００１５】
ハンガー棒はそこに調理道具を掛けるため壁側との距離が必要であり、またレンジフード最下部の溝部分でも主婦の手では遠いため下げる必要があり、ハンガー棒支持体の取り付け位置は溝部より下方かつ溝からはなれる位置にする。
【００１６】
そのため、ハンガー棒に加重した場合フランジ挟持部及びカエリ部とカエリ用溝の嵌合部のみで支えた場合溝部の鋼板やステンレス板が変形する可能性があり加重に対して溝部だけでなく力を分散する方法が必要となる。
【００１７】
その方法としてレンジフード下壁に対しハンガー棒支持体またはその部品が接触するようにしハンガーへの加重がフランジ挟持部とカエリ部とカエリ用溝の嵌合部とレンジフード下壁とハンガー棒支持体か別部品が接触する部分とにより力を分散する構造とする。
【００１８】
レンジフード下壁はレンジフードと概ね直線上にあるタイプとレンジフードより一段引き込んだタイプがありレンジフード下壁との接触する部分がスライド等の構造にて対応しなければならない。
【００１９】
そのスライドの役割をハンガー棒支持体がするとハンガー棒取り付け位置が移動するため別部品にて対応するほうが望ましい。
【００２０】
その他、ハンガー棒支持体を締めるネジが外れた場合、簡単にハンガー棒支持体がレンジフードの溝部より離脱するのは好ましくないためハンガー棒支持体のカエリ用溝の幅を鋼板・ステンレス板の厚いタイプがやっと入る位とする。その部分の形状により外力がかからない場合、ハンガー棒支持体自体ネジなしでも油溜め溝部分から離脱しない様になる。
【００２１】
レンジフードの幅方向の大きさは６０ｃｍから９０ｃｍが一般的である。その長さにハンガー棒を付ける場合ハンガー棒支持体は２個で支えるのが望ましく取り付け時その２個のハンガー棒支持体にあるカエリ用溝によりハンガー棒がレンジフード溝部あるいは壁部より同一距離に位置する。
【００２２】
【発明の実施の形態】
続いて添付した図面を参照しつつ本発明を具体化した実施の形態について説明し本発明の理解に供する。
【００２３】
図１は本発明の用途である。コンロ奥上部のレンジフードの油溜め溝７部分にハンガー棒支持体１を固定する。ハンガー棒支持体１は２本両端にありハンガー棒５を支えている。ハンガー棒５にはフック６を付けることも出来ハンガー棒５自体にもまたフック６にもレードル等調理道具２０を掛けることができる。
【００２４】
図１ではハンガー棒支持体１はハンガー棒５の両端に位置するが取り付け場所によりハンガー棒支持体が端より内側に位置することもできる。
【００２５】
図２はハンガー棒支持体１の斜視図である。本発明の構成はハンガー棒支持体１、支え兼ハンガー棒支持体押え部品３（以下押え部品と呼ぶ）、その２つを締めるネジ２とハンガー棒カバー４、ハンガー棒５、フック６にて構成されている。材質はすべて不燃物である金属が望ましい。図２のハンガー棒支持体１はアルミの押し出し成形での製造であるが帯板板金加工や鋳造等の製造方法でもよい。
【００２６】
図２のハンガー棒支持体１のレンジフード油溜め溝７への取り付け方法であるが、油溜め溝７のカエリ部７ｂにハンガー棒支持体１のカエリ用溝１ａを差し込む。カエリ用溝１ａはレンジフードに使用する鋼板やステンレス板の最大厚２．０ｍｍが丁度入る幅とし、カエリ用溝１ａの高さは２０ｍｍに設定している。ハンガー棒５の断面中心点の取り付け位置はカエリ部７ｂの最下部より下に３８ｍｍ、フランジ７ａの下部から水平方向にカエリ部７ｂ下より３０ｍｍのところに設定している。下方向の３８ｍｍはまだ下方向に設定することはできるが水平方向でカエリ部７ｂの最下点より３０ｍｍレンジフード壁面側より離れるのは溝部分への加重増大の問題と調理道具を掛けた時の壁との接触が少なくなり不安定となる。
【００２７】
ハンガー棒支持体１のハンガー棒支持体底部１ｄにはフランジ７ａの下部と水平に一直線になる部分を設けており押え部品３でハンガー棒支持体底部１ｄとフランジ７ａ下面を跨いでネジ２で締めフランジ７ａを押え部品３とフランジ押え部１ｂで挟みつけて固定する。
【００２８】
このとき押え部品３が無くてもハンガー棒支持体１のカエリ用溝１ａとカエリ部７ｂの嵌合部により外力が無い場合離脱しない形状となっている。
【００２９】
上記の状態ではフランジ７ａを挟んで固定しているためハンガー棒５に下方向加重するとレンジフード溝部７のみに力がかかり厚さ０．６ｍｍから２．０ｍｍ厚位の鋼板・ステンレス板は曲がる可能性が高いため、ハンガー棒５への下方向への加重に対して力を分散する構造にしなければならない。
【００３０】
図３、図４はハンガー棒支持体１の取り付け側面図である。
前記のとおりハンガー棒５への下方向への加重を分散するためにフランジ７ａを挟んで固定した押え部品３の壁側端部３ａをレンジフード下壁９と接触させ固定することによりハンガー棒５への下方向加重を押え部品３の壁側端部３ａがレンジフード下壁９と突っ張り力を吸収すると同時にフランジ７ａを挟んで固定した部分とで力を分散する。
【００３１】
このとき押え部品３の壁側端部３ａとレンジフード下壁との接触面積は大きくまた、下方部分まで押えることによりさらに力の吸収力は強くなる。
【００３２】
レンジフード下壁９がレンジフード内壁８と概ね一直線上にある場合（図３）とレンジフード下壁９が一段引き込んでいるタイプ（図４）がある。これら両タイプに対応すべく押え部品３のネジ穴を矩形穴としてスライド構造にすることにより一段引き込んだタイプでも押え部品３の壁側端部３ａがレンジフード下壁９に接触するように取り付けることができる。押え部品３はレンジフード下壁９を押す役割とフランジを挟む役割をする。
【００３３】
図５は最初にハンガー棒支持体を油溜め溝部分７に取り付ける図である。ネジ２を緩めハンガー棒支持体１と押え部品３との間隙でカエリ部７ｂを越すことはよほどネジを長くしなければならないが押え部品３を９０度回転さすことによりハンガー棒支持体１のカエリ用溝部１ａが露出するためネジの長さが短くて、しかも容易にハンガー棒支持体を油溜め溝７に付け、押え部品３の壁側端部３ａを壁側に向けレンジフード下壁に接触させネジ２を留めることができる。
【００３４】
図６はハンガー棒支持体１０自体が押え部品３（図３図４参照）の役割をする方法で有るがレンジフード下壁９が一段引き込んだタイプの場合ハンガー棒支持体１０の位置が変化するためハンガー棒５の位置が変わる。またネジ２が外れた場合ハンガー棒支持体１０が離脱すると言う問題がある。
【００３５】
図７、図８は他の方法でハンガー棒支持体１２、１３を取り付けた参考図である。両図とも油溜め溝７のレンジフード壁８とカエリ部７ｂの幅を固定する方法で磁石１６を取り付け、溝幅固定部品１４，１５のネジ２を締めることにより油溜め溝７に固定する構造である。しかしネジ２の移動距離分位しか調整距離が無く溝幅が１０ｍｍも違えば対応できなくなると言う問題がある。
【００３６】
図６〜図８の方法は複雑になったり取り付け適合能力が低くなったりする。また、図６の場合なら離脱の可能性があるため望ましい仕様とは言い難い。
【００３７】
【発明の効果】
上記した説明から明らかなように本出願に係る技術を適用することによりレンジフード取り付けハンガーにかかる下方向加重を分散しレンジフードの溝が曲がるのを防ぎしっかりと固定できる。また、固定するネジが外れた場合でもハンガー棒支持体自体に外力がかからない場合溝部分と嵌合しているため離脱しない。さらに構造自体が単純で部品点数が少なく提供できる。
【図面の簡単な説明】
【図１】本発明の使用用途を説明する図である。
【図２】ハンガー棒支持体を油溜め溝に取り付けた時の斜視図。
【図３】レンジフードとレンジフード下壁面がほぼ同じ直線上にある時、ハンガー棒支持体を油溜め溝に取り付けた時の側面図。
【図４】レンジフード下壁面が引き込んだタイプにハンガー棒支持体を油溜め溝に取り付けた時の側面図。
【図５】ハンガー棒支持体を油溜め溝に取り付ける時の斜視図。
【図６】ハンガー棒支持体と支え兼ハンガー棒支持体押え部品の構造を図１〜図５とは逆構造にした時の側面図。
【図７】他の構造例を示した参考図。
【図８】他の構造例を示した参考図。
【符号の説明】
１  ハンガー棒支持体
１ａ  カエリ用溝
１ｂ  フランジ押え部
１ｃ  ネジ穴
１ｄ  ハンガー棒支持体底部
２  ネジ
３  支え兼ハンガー棒支持体押え部品（押え部品）
３ａ  支え兼ハンガー棒支持体押え部品壁側端部（押え部品壁側端部）
４  ハンガー棒カバー
５  ハンガー棒
６  フック
７  油溜め溝
７ａ  フランジ
７ｂ  カエリ部
８  レンジフード内壁
９  レンジフード下壁
１０  下付けハンガー棒支持体
１１  上付け押え部品
１１ａ  上付け押え部品カエリ用溝
１１ｂ  上付き押え部品フランジ押え部
１２  溝幅固定型ハンガー棒支持体
１３  溝幅固定型ハンガー棒支持体
１４  溝幅固定型部品
１５  溝幅固定型部品
１６  磁石
１７  ヨーク
２０  調理道具
【図１】
0004019354.tif 000002
【図２】
0004019354.tif 000003
【図３】
0004019354.tif 000004
【図４】
0004019354.tif 000005
【図５】
0004019354.tif 000006
【図６】
0004019354.tif 000007
【図７】
0004019354.tif 000008
【図８】
0004019354.tif 000009